(57)【要約】【課題】特殊かつ複雑な制御を省略しつつ、患者の血液中から透析液流通経路中に抜き取られる水分量を正確に把握することができ、運転中の過除水および引残しを未然に防ぐことができる血液透析装置を提供する。【解決手段】透析膜を有する血液透析要素と、透析液流通経路と、透析液供給室と透析液受入室とを有し、透析液供給室と透析液受入室とを隔てる変位可能な隔壁を有し、透析工程の各ステップを順次実施するために切り替え使用が可能な少なくとも２つの透析液供給・受入要素と、流通ポンプと、透析液給液経路と、使用済透析液排出経路と、除水ポンプと、流通ポンプの吐出側圧力の上限を制御するリリーフ弁と、を有し、あらかじめ取得した系内の圧力特性に基づいて、透析工程の単位ステップにおいて透析液供給室に供給される未使用透析液の体積と透析液受入室から排出される使用済透析液の体積との差として定義される除水誤差変数を推定する血液透析装置。【選択図】図３
2019013486.tif 000002
【特許請求の範囲】
【請求項１】
血液流路と透析液流路との間に透析膜を有する血液透析要素と、
前記血液透析要素の透析液流路に連通する透析液流通経路と、
該透析液流通経路の前記透析液流路への透析液往路に接続された透析液供給室と透析液流通経路の前記透析液流路からの透析液復路に接続された透析液受入室とを有し、透析液供給室と透析液受入室とを隔てる変位可能な隔壁を有し、透析液流通経路に設けられた切替弁を介して交互に透析工程の各ステップを順次実施するために切り替え使用が可能な少なくとも２つの透析液供給・受入要素と、
前記透析液流通経路の透析液復路に設けられた流通ポンプと、
各透析液供給・受入要素の各透析液供給室に接続され、切替弁を介して各透析液供給・受入要素の各透析液供給室に交互に給液ポンプにより未使用透析液を給液する透析液給液経路と、
各透析液供給・受入要素の各透析液受入室に接続され、切替弁を介して各透析液供給・受入要素の各透析液受入室から交互に使用済透析液を前記透析液流通経路の系外に排出する使用済透析液排出経路と、
前記透析液流通経路の透析液復路に接続され、該透析液復路から前記透析液流通経路の系外に使用済透析液を排出可能な除水ポンプと、
前記透析液流通経路の透析液復路に付設され、該透析液復路に連通された透析液供給・受入要素の透析液受入室が満杯になった後の、透析液受入室が満杯になる前のベース圧に対する前記流通ポンプの吐出側圧力の昇圧代が予め設定した所定の昇圧量になるようにそのときの前記流通ポンプの吐出側圧力の上限を制御するリリーフ弁と、を有する血液透析装置において、
あらかじめ取得した透析液流通経路の系内の圧力特性に基づいて、前記透析工程の単位ステップにおいて前記透析液供給室に供給される未使用透析液の体積と前記透析液受入室から排出される使用済透析液の体積との差として定義される除水誤差変数を推定することを特徴とする血液透析装置。
【請求項２】
前記圧力特性が、前記透析工程を実施する前の圧力特性取得工程において、
前記血液透析要素の透析液流路をバイパスするように前記透析液流通経路を形成し、前記流通ポンプにより前記透析液供給室から前記透析液往路および前記透析液復路を経て前記透析液受入室に未使用透析液を流通させて前記透析液受入室を満杯とした後、前記流通ポンプの吐出側圧力を前記リリーフ弁により制御された上限まで昇圧させた状態にて、
前記除水ポンプにより未使用透析液を前記透析液流通経路の系外に所定の排出体積だけ排出したときの前記透析液流通経路の系内の圧力低下量を測定することにより取得される、請求項１に記載の血液透析装置。
【請求項３】
前記圧力特性が、前記透析工程を実施する前の圧力特性取得工程において、
前記血液透析要素の透析液流路をバイパスするように前記透析液流通経路を形成し、前記流通ポンプにより前記透析液供給室から前記透析液往路および前記透析液復路を経て前記透析液受入室に未使用透析液を流通させて前記透析液受入室を満杯とする前の状態にて、
前記除水ポンプにより未使用透析液を前記透析液流通経路の系外に所定の排出体積だけ排出したときの前記透析液流通経路の系内の圧力低下量を測定することにより取得される、請求項１に記載の血液透析装置。
【請求項４】
前記所定の排出体積を前記圧力低下量で割った商として定義される体積収縮係数を算出し、前記少なくとも２つの透析液供給・受入要素を切り替え使用して前記圧力特性取得工程の各ステップを順次実施し、任意のステップにおける前記除水ポンプを稼働させない状態で測定した前記透析液流通経路の系内の圧力と前記任意のステップに続く次ステップにおける前記除水ポンプを稼働させない状態で測定した前記透析液流通経路の系内の圧力との差を前記体積収縮係数に掛け合わせた積として定義される収縮時圧力特性値を前記任意のステップにおける前記透析液流通経路の系内の圧力と対応付けることで前記圧力特性を圧力の関数として取得し、前記透析工程の単位ステップにおける前記透析液流通経路の系内の圧力に対応する前記収縮時圧力特性値が前記除水誤差変数に等しいとみなして前記除水誤差変数を推定する、請求項２または３に記載の血液透析装置。
【請求項５】
前記圧力特性が、前記透析工程を実施する前の圧力特性取得工程において、
前記血液透析要素の透析液流路をバイパスするように前記透析液流通経路を形成し、前記流通ポンプにより前記透析液供給室から前記透析液往路および前記透析液復路を経て前記透析液受入室に未使用透析液を流通させて前記透析液受入室を満杯とした後、前記流通ポンプの吐出側圧力を前記リリーフ弁により制御された上限まで昇圧させた状態にて、
未使用透析液を前記透析液流通経路の系外から所定の供給体積だけ供給したときの前記透析液流通経路の系内の圧力上昇量を測定することにより取得される、請求項１に記載の血液透析装置。
【請求項６】
前記所定の供給体積を前記圧力上昇量で割った商として定義される体積膨張係数を算出し、前記少なくとも２つの透析液供給・受入要素を切り替え使用して前記圧力特性取得工程の各ステップを順次実施し、任意のステップにおける前記除水ポンプを稼働させない状態で測定した前記透析液流通経路の系内の圧力と前記任意のステップに続く次ステップにおける前記除水ポンプを稼働させない状態で測定した前記透析液流通経路の系内の圧力との差を前記体積膨張係数に掛け合わせた積として定義される膨張時圧力特性値を前記任意のステップにおける前記透析液流通経路の系内の圧力と対応付けることで前記圧力特性を圧力の関数として取得し、前記透析工程の単位ステップにおける前記透析液流通経路の系内の圧力に対応する前記膨張時圧力特性値が前記除水誤差変数に等しいとみなして前記除水誤差変数を推定する、請求項５に記載の血液透析装置。
【請求項７】
前記流通ポンプが回転数一定に制御され、前記除水ポンプが、前記透析膜を通して前記血液流路から前記透析液流路に除水すべき体積を基準排出量として前記使用済透析液を排出するように制御される、請求項１〜６のいずれかに記載の血液透析装置。
【請求項８】
前記透析工程の任意のステップに続く次のステップにおいて、前記除水ポンプが、前記基準排出量に前記除水誤差変数の推定値を加算した量を基準として前記使用済透析液を排出するように制御される、請求項７に記載の血液透析装置。
【発明の詳細な説明】
【技術分野】
【０００１】
本発明は、血液透析装置に関し、とくに、透析中に患者からの除水が行われる場合、その除水量の精度を向上できるようにした血液透析装置に関する。
【背景技術】
【０００２】
血液透析装置は既に広く実用化されており、例えば特許文献１には、透析液供給室と透析液受入室との間に変位可能な隔壁を有する少なくとも２つの透析液供給・受入要素と、血液透析を行う透析液循環路に設けられた循環ポンプと、各透析液供給・受入要素の各透析液供給室に給液ポンプにより未使用透析液を供給する透析液供給経路と、透析液循環路外に除水可能な除水ポンプと、透析液受入室が満杯になった後の、透析液受入室が満杯になる前のベース圧に対する循環ポンプの出側圧力の昇圧代が予め設定した所定の昇圧量になるようにそのときの循環ポンプの出側圧力の上限圧力を制御するリリーフ弁と、を有する血液透析装置において、透析液供給経路に、給液ポンプの出側圧力を任意の圧力に制御可能な圧力制御弁を付設するとともに、除水ポンプの作動のオン・オフに伴う循環ポンプの出側圧力の変動に応じて、透析液供給経路に連通された透析液供給・受入要素の透析液供給室が満杯になった後の給液ポンプの出側圧力を、前記リリーフ弁により制御された循環ポンプの出側圧力の上限圧力に実質的に合わせるべく、前記圧力制御弁を制御可能な制御装置を設けたことを特徴とする血液透析装置が開示されている。
【０００３】
また、特許文献２には、血液流路と透析液流路との間に透析膜を有する血液透析要素と、実質的に閉回路からなり、前記血液透析要素の透析液流路に連通する透析液循環路と、該透析液循環路の前記透析液流路への透析液往路に接続された透析液供給室と透析液循環路の前記透析液流路からの透析液復路に接続された透析液受入室とを有する、透析液循環路に設けられた切替弁を介して交互に透析のために切り替え使用が可能な少なくとも２つの透析液供給・受入要素と、前記透析液循環路に設けられた循環ポンプと、各透析液供給・受入要素の各透析液供給室に接続され、切替弁を介して各透析液供給・受入要素の各透析液供給室に交互に未使用透析液を供給する透析液供給経路と、各透析液供給・受入要素の各透析液受入室に接続され、切替弁を介して各透析液供給・受入要素の各透析液受入室から交互に使用済透析液を前記閉回路からなる透析液循環路外に排出する使用済透析液排出経路と、前記透析液循環路の前記透析液復路に接続され、該透析液復路から除水可能な除水ポンプを備えた除水経路とを有する血液透析装置において、前記透析液供給経路の、該透析液供給経路における前記切替弁の上流側の位置に、第１の流量計又はフロースイッチを設け、前記使用済透析液排出経路の、該使用済透析液排出経路における前記切替弁の下流側の位置に、第２の流量計又はフロースイッチを設けるとともに、該第２の流量計又はフロースイッチを、前記除水経路における除水量に対しては無関係な位置に配置したことを特徴とする血液透析装置が開示されている。
【０００４】
しかしながら、このような特許文献２の血液透析装置において、給液ポンプの出側圧力Ｐ１と循環ポンプの出側圧力Ｐ２の上限圧力間に圧力差ΔＰが生じると、除水ポンプに信頼性の高い定量ポンプを使用していたとしても、除水量［ｍＬ］の精度（設定除水量［ｍＬ］と実際に行われた除水の量［ｍＬ］との誤差）に多かれ少なかれ影響を及ぼす。すなわち圧力差ΔＰに起因して、透析液供給・受入要素の給液室の容積（給液室に収容された未使用の透析液の量）と、その透析液供給・受入要素が透析に使用され排液室への使用済み透析液の収容が完了する際の透析液供給・受入要素の排液室の容積（排液室に収容された使用済み透析液の量）とが多かれ少なかれ異なることになり、この差異が目標除水量からの誤差となって、除水量の精度を悪化させる原因となる。また、給液室に収容される透析液体積量［ｍＬ］と排液室に収容される透析液体積量［ｍＬ］が等量であったとしても、排液室に収容される透析液量［ｍＬ］の方が温度が低く密度［ｇ／ｍＬ］が高い場合には、給液室に収容される透析液量［ｍＬ］と排液室に収容される透析液量［ｍＬ］が重量［ｇ］において一致しないことがあり、結果として、予め設定していた患者の血液から除去する水分量と実際に患者の血液から除去する水分量に差が生じてしまう。これらのことから、除水ポンプに信頼性の高い定量ポンプを使用し、患者から除去する水分量を高精度に制御するには、Ｐ１およびＰ２の圧力上限を等しくし、かつ給液室の透析液温度と排液室の透析液温度を等しくすることで、給液室に収容される透析液重量と排液室に収容される透析液重量を等しくする必要がある。 
【０００５】
そこで、例えば特許文献３には、給液室に収容される透析液の圧力と排液室に収容される透析液の圧力が等しくなるように循環ポンプの駆動電圧を制御することで、給液室に収容される透析液体積量［ｍＬ］と排液室に収容される透析液体積量［ｍＬ］を高精度に制御する方法が開示されている。
【０００６】
また、例えば特許文献４には、給液室に収容される透析液温度と排液室に収容される透析液温度の差を０にすることで、給液室に収容される透析液の密度と排液室に収容される透析液の密度を高精度に制御する方法が開示されている。
【０００７】
さらに、例えば特許文献５には、給液容量と排液容量の差と透析液圧力の変化量を直交多項式により分析したところ有意な相関が見られたことが記載されている。
【先行技術文献】
【特許文献】
【０００８】
【特許文献１】特開２０１６−１１６６０３号公報
【特許文献２】特許第３９３３５１２号公報
【特許文献３】特開２０１４−１１０８５６号公報
【特許文献４】特開平６−１０６０３３号公報
【特許文献５】特開平２−７１７５４号公報
【発明の概要】
【発明が解決しようとする課題】
【０００９】
例えば特許文献１に開示される血液透析装置は、透析液供給・受入要素の切替時の循環ポンプの出側圧力の上限圧力と給液ポンプの出側圧力の上限圧力との差ΔＰを実質的に０とすることができるように構成されているので、透析液供給・受入要素の切替時の透析液供給室の容積と透析液受入室の容積が実質的に一致しており、透析液循環系からの除水の精度が、定量ポンプからなる除水ポンプによって決められる良好な精度に確保されている。しかしながら、このような特殊かつ複雑な制御を省略した場合には、透析液供給・受入要素の切替時の循環ポンプの出側圧力の上限圧力と給液ポンプの出側圧力の上限圧力との差ΔＰが実質的に０とならないため、除水ポンプにより透析液循環系から抜き取られる水分量と患者の血液中から透析液循環路中に抜き取られる水分量が必ずしも一致しなくなる恐れがある。
【００１０】
また特許文献３では、給液室に収容される透析液の圧力と排液室に収容される透析液の圧力が等しくなるように循環ポンプの駆動電圧を制御することで、給液室に収容される透析液量［ｍＬ］と排液室に収容される透析液量［ｍＬ］を高精度に制御する方法を提案しているが、これでは給液室に収容される透析液温度と排液室に収容される透析液温度の差を０℃にすることはできず、給液室に収容される透析液体積量［ｍＬ］と排液室に収容される透析液体積量［ｍＬ］を高精度に制御できるが、給液室に収容される透析液の密度［ｇ／ｍＬ］と排液室に収容される透析液の密度［ｇ／ｍＬ］が異なるため、給液室に収容される透析液重量［ｇ］と排液室に収容される透析液重量［ｇ］が異なるため、除水ポンプを高精度に制御しても患者から除去する余分な水分量を高精度に制御することができないといった課題があった。
【００１１】
さらに特許文献４では、給液室に収容される透析液温度と排液室に収容される透析液温度を0にすることで、給液室に収容される透析液量と排液室に収容される透析液量を高精度に制御する方法を提案しているが、給液室に収容される透析液の圧力と排液室に収容される透析液の圧力を等しくできないため、給液室に収容される透析液体積量［ｍＬ］と排液室に収容される透析液体積量［ｍＬ］を等しくできず、除水ポンプを高精度に制御しても患者から除去する余分な水分量を高精度に制御することができないといった課題があった。
【００１２】
なお、特許文献３および４の発明内容を組み合わせることで、給液室に収容される透析液重量と排液室に収容される透析液重量を高精度に制御することが可能になることは、容易に考え得るが、特許文献３および４の発明内容が実施可能となる血液透析装置は除水ポンプの駆動電圧制御機構や排液の加熱手段を追加する必要があるため、部品点数の増加、製造コストの増加が生じてしまう。
【００１３】
また、特許文献５では、給液容量と排液容量の差と透析液圧力の変化量との間の有意な相関関係に基づいて除水ポンプの吐出量を調整することで除水誤差低減を図ることが可能であるが、透析液圧力の変化量から給液容量と排液容量の差を求めるためには、透析液供給・受入要素と継手と透析液循環路とリリーフ回路を含む実質的な閉回路の体積膨張率を求める必要があり、また体積膨張率は装置の個体差および使用環境により変化するため、環境の変化に対し、体積膨張率を都度測定する必要がある。
【００１４】
そこで本発明の課題は、特殊かつ複雑な制御を省略しつつ、患者の血液中から透析液流通経路中に抜き取られる水分量を正確に把握することができ、ひいては血液透析装置の運転中の過除水および引残しを未然に防ぐことができる血液透析装置を提供することにある。
【課題を解決するための手段】
【００１５】
上記課題を解決するために、本発明に係る血液透析装置は、
血液流路と透析液流路との間に透析膜を有する血液透析要素と、
前記血液透析要素の透析液流路に連通する透析液流通経路と、
該透析液流通経路の前記透析液流路への透析液往路に接続された透析液供給室と透析液流通経路の前記透析液流路からの透析液復路に接続された透析液受入室とを有し、透析液供給室と透析液受入室とを隔てる変位可能な隔壁を有し、透析液流通経路に設けられた切替弁を介して交互に透析工程の各ステップを順次実施するために切り替え使用が可能な少なくとも２つの透析液供給・受入要素と、
前記透析液流通経路の透析液復路に設けられた流通ポンプと、
各透析液供給・受入要素の各透析液供給室に接続され、切替弁を介して各透析液供給・受入要素の各透析液供給室に交互に給液ポンプにより未使用透析液を給液する透析液給液経路と、
各透析液供給・受入要素の各透析液受入室に接続され、切替弁を介して各透析液供給・受入要素の各透析液受入室から交互に使用済透析液を前記透析液流通経路の系外に排出する使用済透析液排出経路と、
前記透析液流通経路の透析液復路に接続され、該透析液復路から前記透析液流通経路の系外に使用済透析液を排出可能な除水ポンプと、
前記透析液流通経路の透析液復路に付設され、該透析液復路に連通された透析液供給・受入要素の透析液受入室が満杯になった後の、透析液受入室が満杯になる前のベース圧に対する前記流通ポンプの吐出側圧力の昇圧代が予め設定した所定の昇圧量になるようにそのときの前記流通ポンプの吐出側圧力の上限を制御するリリーフ弁と、を有する血液透析装置において、
あらかじめ取得した透析液流通経路の系内の圧力特性に基づいて、前記透析工程の単位ステップにおいて前記透析液供給室に供給される未使用透析液の体積と前記透析液受入室から排出される使用済透析液の体積との差として定義される除水誤差変数を推定することを特徴とするものからなる。
【００１６】
このような本発明の血液透析装置によれば、透析工程の単位ステップにおいて透析液供給室に供給される未使用透析液の体積と透析液受入室から排出される使用済透析液の体積との差として定義される除水誤差変数を、あらかじめ取得した透析液流通経路の系内の圧力特性に基づいて推定するので、いわゆる除水誤差を把握することによって血液透析時の過除水および引残しを未然に防ぐことができる。
【００１７】
上記血液透析装置においては、圧力特性を取得するための第一の方法として、
前記圧力特性が、前記透析工程を実施する前の圧力特性取得工程において、
前記血液透析要素の透析液流路をバイパスするように前記透析液流通経路を形成し、前記流通ポンプにより前記透析液供給室から前記透析液往路および前記透析液復路を経て前記透析液受入室に未使用透析液を流通させて前記透析液受入室を満杯とした後、前記流通ポンプの吐出側圧力を前記リリーフ弁により制御された上限まで昇圧させた状態にて、
前記除水ポンプにより未使用透析液を前記透析液流通経路の系外に所定の排出体積だけ排出したときの前記透析液流通経路の系内の圧力低下量を測定することにより取得される構成を採用することができる。
【００１８】
このような第一の方法によれば、透析液受入室に未使用透析液を流通させて透析液受入室を満杯とした後、流通ポンプの吐出側圧力をリリーフ弁により制御された上限まで昇圧させた状態にて、未使用透析液を所定の排出体積だけ排出したときの系内の圧力低下量を測定することにより圧力特性を取得することで、血液透析時の除水誤差を簡易的に推定し把握することができる。
【００１９】
また上記血液透析装置において、圧力特性を取得するための第二の方法として、
前記圧力特性が、前記透析工程を実施する前の圧力特性取得工程において、
前記血液透析要素の透析液流路をバイパスするように前記透析液流通経路を形成し、前記流通ポンプにより前記透析液供給室から前記透析液往路および前記透析液復路を経て前記透析液受入室に未使用透析液を流通させて前記透析液受入室を満杯とする前の状態にて、
前記除水ポンプにより未使用透析液を前記透析液流通経路の系外に所定の排出体積だけ排出したときの前記透析液流通経路の系内の圧力低下量を測定することにより取得される構成を採用することができる。
【００２０】
このような第二の方法によれば、透析液受入室に未使用透析液を流通させて透析液受入室を満杯とする前の状態にて、未使用透析液を所定の排出体積だけ排出したときの系内の圧力低下量を測定することにより圧力特性を取得することで、血液透析時の除水誤差を簡易的に推定し把握することができる。
【００２１】
上記第一および第二の方法のいずれかを採用した場合に、上記血液透析装置において、
前記所定の排出体積を前記圧力低下量で割った商として定義される体積収縮係数を算出し、前記少なくとも２つの透析液供給・受入要素を切り替え使用して前記圧力特性取得工程の各ステップを順次実施し、任意のステップにおける前記除水ポンプを稼働させない状態で測定した前記透析液流通経路の系内の圧力と前記任意のステップに続く次ステップにおける前記除水ポンプを稼働させない状態で測定した前記透析液流通経路の系内の圧力との差を前記体積収縮係数に掛け合わせた積として定義される収縮時圧力特性値を前記任意のステップにおける前記透析液流通経路の系内の圧力と対応付けることで前記圧力特性を圧力の関数として取得し、前記透析工程の単位ステップにおける前記透析液流通経路の系内の圧力に対応する前記収縮時圧力特性値が前記除水誤差変数に等しいとみなして前記除水誤差変数を推定することが好ましい。
【００２２】
このように、任意のステップにおける系内の圧力とこれに続く次ステップにおける系内の圧力との差を体積収縮係数に掛け合わせた積として定義される収縮時圧力特性値を上記任意のステップにおける系内の圧力と対応付けることで圧力特性を圧力の関数として取得することにより、透析工程の単位ステップにおける系内の圧力から収縮時圧力特性値が一義的に決まるので、これを除水誤差変数に等しいとみなせば除水誤差を簡便に把握することができる。
【００２３】
また上記血液透析装置において、圧力特性を取得するための第三の方法として、
前記圧力特性が、前記透析工程を実施する前の圧力特性取得工程において、
前記血液透析要素の透析液流路をバイパスするように前記透析液流通経路を形成し、前記流通ポンプにより前記透析液供給室から前記透析液往路および前記透析液復路を経て前記透析液受入室に未使用透析液を流通させて前記透析液受入室を満杯とした後、前記流通ポンプの吐出側圧力を前記リリーフ弁により制御された上限まで昇圧させた状態にて、
未使用透析液を前記透析液流通経路の系外から所定の供給体積だけ供給したときの前記透析液流通経路の系内の圧力上昇量を測定することにより取得される構成を採用することができる。
【００２４】
このような第三の方法によれば、透析液受入室に未使用透析液を流通させて透析液受入室を満杯とした後、流通ポンプの吐出側圧力をリリーフ弁により制御された上限まで昇圧させた状態にて、未使用透析液を所定の供給体積だけ供給したときの系内の圧力上昇量を測定することにより圧力特性を取得することで、血液透析時の除水誤差を簡易的に推定し把握することができる。
【００２５】
上記第三の方法を採用した場合に、上記血液透析装置において、
前記所定の供給体積を前記圧力上昇量で割った商として定義される体積膨張係数を算出し、前記少なくとも２つの透析液供給・受入要素を切り替え使用して前記圧力特性取得工程の各ステップを順次実施し、任意のステップにおける前記除水ポンプを稼働させない状態で測定した前記透析液流通経路の系内の圧力と前記任意のステップに続く次ステップにおける前記除水ポンプを稼働させない状態で測定した前記透析液流通経路の系内の圧力との差を前記体積膨張係数に掛け合わせた積として定義される膨張時圧力特性値を前記任意のステップにおける前記透析液流通経路の系内の圧力と対応付けることで前記圧力特性を圧力の関数として取得し、前記透析工程の単位ステップにおける前記透析液流通経路の系内の圧力に対応する前記膨張時圧力特性値が前記除水誤差変数に等しいとみなして前記除水誤差変数を推定することが好ましい。
【００２６】
このように、任意のステップにおける系内の圧力とこれに続く次ステップにおける系内の圧力との差を体積膨張係数に掛け合わせた積として定義される膨張時圧力特性値を上記任意のステップにおける系内の圧力と対応付けることで圧力特性を圧力の関数として取得することにより、透析工程の単位ステップにおける系内の圧力から膨張時圧力特性値が一義的に決まるので、これを除水誤差変数に等しいとみなせば除水誤差を簡便に把握することができる。
【００２７】
上記血液透析装置において、前記流通ポンプが回転数一定に制御され、前記除水ポンプが、前記透析膜を通して前記血液流路から前記透析液流路に除水すべき体積を基準排出量として前記使用済透析液を排出するように制御されることが好ましい。すなわち、血液流路から透析液流路に適切な体積だけ除水するためには、血液流路から透析液流路に除水すべき体積を基準排出量として使用済透析液を排出するように除水ポンプが制御されるべきであるが、上記基準排出量が除水誤差を含む場合には、本発明の方法で推定した除水誤差変数を用いて上記基準排出量を補正することが可能である。具体的には、前記透析工程の任意のステップに続く次のステップにおいて、前記除水ポンプが、前記基準排出量に前記除水誤差変数の推定値を加算した量を基準として前記使用済透析液を排出するように制御されることが好ましい。
【発明の効果】
【００２８】
本発明によれば、患者の血液中から透析液流通経路中に抜き取られる水分量をあらかじめ把握することができるので、血液透析装置の運転中の過除水および引残しを未然に防ぐことが可能となる。
【図面の簡単な説明】
【００２９】
【図１】本発明の一実施態様に係る血液透析装置の透析工程における概略フロー図である。
【図２】図１の血液透析装置の圧力特性取得工程における概略フロー図である。
【図３】図１の血液透析装置の系内圧力の経時変化を示す概略説明図である。
【図４】体積収縮係数取得工程における系内圧力の経時変化を示す概略説明図である。
【図５】圧力特性取得工程における系内圧力の経時変化を示す概略説明図である。
【図６】圧力特性の取得方法を示す概略説明図である。
【発明を実施するための形態】
【００３０】
以下に、本発明の実施の形態について、図面を参照しながら説明する。
図１は、本発明の一実施態様に係る血液透析装置の透析工程における概略フロー図である。血液透析装置１は、血液流路３と透析液流路４との間に透析膜５を有し、両流路３、４間で血液透析を行うダイアライザー（血液透析要素）２を有している。血液流路３には、患者の動脈側からの血液が血液回路６を通して供給され、透析済の血液が静脈側に戻される。
【００３１】
血液透析要素２の透析液流路４には、実質的に閉回路からなる透析液流通経路７が接続され、連通されている。透析液流通経路７に設けられた流通ポンプ８により、透析液流通経路７の透析液往路７ａからの透析前の透析液が透析液流路４に供給され、透析済の透析液が透析液復路７ｂに戻される。この透析液流通経路７は、上述の如く実質的に閉回路に構成されているが、この閉回路から後述の除水ポンプにより定量的に少量の透析液が排出されるので、それに見合う少量の水分が血液中から透析膜５を通して患者の血液中から透析液流通経路７中に抜き取られる。
【００３２】
透析液流通経路７の往路７ａには、チャンバ９ａの供給室１０ａが接続され、ここから透析液往路７ａに透析前の透析液が供給される。透析液流通経路７の復路７ｂには、チャンバ９ａの受入室１１ａが接続され、透析済の透析液がここに戻される。供給室１０ａと受入室１１ａとは、例えば弾性膜からなる変位可能な隔壁１２ａによって隔離されており、透析液の供給により供給室１０ａが収縮した体積分だけ、受入室１１ａが膨張できるようになっている。
【００３３】
血液透析装置１には、チャンバ９ａに加え、供給室１０ｂ、受入室１１ｂおよび変位可能な隔壁１２ｂを含むもう一つのチャンバ９ｂが設けられている。供給室１０ａと受入室１１ａ、ならびに供給室１０ｂと受入室１１ｂはそれぞれ変位自在な隔壁を備えた１組の給排容器であるため、供給室に収容される透析液と受入室に収容される透析液とは等体積となるように保たれる。
【００３４】
透析液流通経路７のチャンバ９ａ、９ｂの入出口には、往路７ａ側に開閉弁（二方弁）からなる切替弁１３ａ、１３ｂが、復路７ｂ側に開閉弁（二方弁）からなる切替弁１４ａ、１４ｂが、それぞれ設けられており、これらの切替弁による流路切り替えにより、透析のために各チャンバを交互に切り替え使用できるようになっている。
【００３５】
切り替え使用されるチャンバ９ａ、９ｂのうちいずれか一方は透析のために使用されて透析液流通経路７と連通されるが、他方は、透析液流通経路７と遮断され、その間に新しく未使用透析液が供給されるとともに使用済みの透析液が排出される。
【００３６】
未使用透析液の供給は、透析休止中のチャンバの供給室に対し、切替弁１５ａ、１５ｂを備えた透析液供給経路１６を通して行われ、使用済みの透析液の排出は、透析休止中のチャンバの受入室に対し、切替弁１７ａ、１７ｂを備えた使用済透析液排出経路１８を通して行われる。
【００３７】
透析液流通経路７の復路７ｂには、透析液抜出経路１９が接続されており、透析液抜出経路１９に設けられた定量ポンプからなる除水ポンプ２０により、定量的に少量の透析液が排出される。透析液流通経路７は実質的に閉回路からなっているので、排出された透析液に見合う少量の水分が血液中から透析膜５を通して患者の血液中から透析液流通経路７中に抜き取られることになり、抜き取られた水分と同量の、該水分を含有する透析液が透析液抜出経路１９を介して排出されることになる。この透析液抜出経路１９は、上述の使用済透析液排出経路１８へと合流されていてもよく、抜き取られた水分を含有する透析液が適当な場所へと排出されるようになっている。
【００３８】
図示例では、透析液流通経路７の往路７ａには、透析前の透析液の供給量を自動調整可能な流量調整弁２１と、透析液の流れのオン・オフを検知可能な流れ検出手段としてのフロースイッチ２２が設けられており、フロースイッチ２２からの信号に基づいて、それまで透析に使用していたから次に透析に使用するチャンバへの切替のための信号を各切替弁に送ることができるようになっている。
【００３９】
透析液流通経路７の復路７ｂの流通ポンプ８に対しては、手動設定可能なリリーフ弁２３が付設されている。未使用透析液を供給する透析液供給経路１６に設けられた、例えば脱気ポンプからなる給液ポンプ２４に対しても、手動設定可能なリリーフ弁２５が付設されている。これら手動リリーフ弁２３、２５により、各ポンプ８、２４からの送液先の室が満杯になった直後の、満杯になる直前のベース圧に対するポンプ吐出側圧力の昇圧代が予め設定した所定の昇圧量になるようにそのときのポンプ吐出側圧力の上限を制限できるようになっている。すなわち、図１に示す状態においては、透析液流通系Ａにおける手動リリーフ弁２３では、チャンバ９ａの透析液受入室１１ａが満杯になった後の、満杯になる前のベース圧に対する流通ポンプ８の吐出側圧力の昇圧代が予め設定した所定の昇圧量に制限されるように、流通ポンプ８の吐出側から吸入側へと透析液を循環させるべく、手動リリーフ弁２３の開度が所定量に設定されている。また、透析液給液系Ｂにおける手動リリーフ弁２５では、チャンバ９ｂの透析液供給室１０ｂが満杯になった直後の、満杯になる直前のベース圧に対する流通ポンプ８の吐出側圧力の昇圧代が予め設定した所定の昇圧量に制限されるように、給液ポンプ２４の吐出側から吸入側へと透析液を循環させるべく、手動リリーフ弁２５の開度が所定量に設定される。
【００４０】
透析液給液系Ｂにおいては、給液ポンプ２４によるチャンバ９ｂの透析液供給室１０ｂへの送液により該透析液供給室１０ｂが満杯になるとともに変位可能な隔壁１２ｂがチャンバ９ｂの一方の内面に密着すると、手動リリーフ弁２５が作動して透析液はリリーフ回路２６のみを循環開始する。透析液はリリーフ回路２６のみを循環し続け、給液ポンプ２４の吐出側における圧力は、循環開始前のベース圧に対し、手動リリーフ弁２５で設定されている所定の昇圧量まで昇圧し、その設定昇圧量に至った時点で給液ポンプ２４の吐出側圧力の上限が一定値に制限される。その状態にて、各切替弁の作動により給液ポンプ２４による透析液の送液先がチャンバ９ｂの供給室１０ｂからチャンバ９ａの供給室１０ａへ切り替えられ、切替が完了するとともにチャンバ９ａの供給室１０ａへの給液ポンプ２４による透析液の送液が開始される。
【００４１】
一方、透析液流通系Ａにおいては、流通ポンプ８によるチャンバ９ａの受入室１１ａへの送液により該受入室１１ａが満杯になるとともに変位可能な隔壁１２ａがチャンバ９ａの一方の内面に密着すると、手動リリーフ弁２３が作動して透析液はリリーフ回路２７のみを循環開始する。透析液はリリーフ回路２７のみを循環し続け、流通ポンプ８の吐出側における圧力は、循環開始前のベース圧に対し、手動リリーフ弁２３で設定されている所定の昇圧量まで昇圧し、その設定昇圧量に至った時点で流通ポンプ８の吐出側圧力の上限が一定値に制限される。このとき、透析液流通経路７内の透析液の流れが停止し、それが例えばフロースイッチ２２によって検知され、その信号に基づいて各切替弁が作動され、各切替弁の作動により流通ポンプ８による使用済み透析液の送液先がチャンバ９ａの受入室１１ａからチャンバ９ｂの受入室１１ｂへ切り替えられ、切替が完了するとともにチャンバ９ｂの受入室１１ｂへの流通ポンプ８による使用済み透析液の送液が開始される。
【００４２】
上述した各圧力の挙動は、除水ポンプ２０を稼働させないときの挙動であるが、除水ポンプ２０が稼働されているときには、除水ポンプ２０により定量的に少量の透析液（患者の血液中から透析膜５を通して抜き取られた水分を含有する透析液）が、実質的に閉回路に形成されていた透析液流通経路７の透析液復路７ｂから排出されるので、透析液流通経路７からの排出箇所で圧力が低下され（それまでのその箇所における圧力に対し、相対的な陰圧が生じ）、流通ポンプ８付近の圧力のレベルが全体的に低下することとなる。流通ポンプ８付近の圧力のレベルの全体的な低下量をΔＰとすると、この除水ポンプ２０がオンのときにも、手動リリーフ弁２３で設定されている昇圧量の上限圧力の制限機能はそのまま働くことになるので、流通ポンプ８の吐出側における圧力は、リリーフ回路２７における循環開始前の（手動リリーフ弁２３が作動する前の）ベース圧と、流通ポンプ８の送液先の受入室が満杯になるとともに隔壁がチャンバの一方の内面に密着した際に手動リリーフ弁２３によって制限される上限圧力との両方が、ΔＰ分だけ低下した挙動に変化する。一方、流通ポンプ８の吐出側における圧力の挙動がこのように変化しても、各切替弁によって透析液流通経路７（透析液流通系Ａ）とは切り離されている透析液供給経路１６（透析液給液系Ｂ）における給液ポンプ２４の吐出側における圧力の挙動は基本的に変化しない。したがって、手動リリーフ弁２３、２５の初期設定により、除水ポンプ２０がオフのときの流通ポンプ８の吐出側における上限圧力と給液ポンプ２４の吐出側における上限圧力とが略一致するように設定されていた場合にあっても、除水ポンプ２０がオンになると、各上限圧力間にはΔＰ分だけ圧力差が生じることになる。
【００４３】
このΔＰの圧力差は除水ポンプのＯＮ・ＯＦＦの場合だけでなく、手動リリーフ弁２３、２５の初期設定により、除水ポンプ２０がオフのときの流通ポンプ８の吐出側における上限圧力と給液ポンプ２４の吐出側における上限圧力とが略一致するように設定されていた場合にあっても、透析膜５を介した患者毎の血圧に応じて、流通ポンプ８付近の圧力のレベルが全体的に低下もしくは増加することとなる。
【００４４】
図２は、血液透析装置１の圧力特性取得工程における概略フロー図である。図１のフロー図との違いは、ダイアライザー２の代わりにバイパスコネクタ２９が設けられて透析液流通経路７に接続されている点である。また、圧力特性等を取得するために透析工程とは異なる操作をするので、図３〜５を用いて除水誤差の推定方法を詳細に説明する。
【００４５】
図３は、血液透析装置１の系内圧力の経時変化を示す概略説明図である。図２のフローにおいて、装置運転開始直後は切替弁の作動によりチャンバ９ａとチャンバ９ｂを交互に使用して、透析液の温度を透析治療に使用する温度まで昇温させつつ透析液流通系Ａの液置換を行い、温度センサＴにより温度が安定したことを確認した後に、体積収縮係数および圧力特性を取得するための操作を行う。体積収縮係数および圧力特性を取得した後は、バイパスコネクタ２９を外してダイアライザー２を透析液流通経路７に接続して透析工程を開始する。
【００４６】
図４は、体積収縮係数取得工程における系内圧力の経時変化を示す概略説明図である。体積収縮係数取得工程では、図２のフローにおいてチャンバ９ａの供給室１０ａから受入室１０ｂへと透析液が流通している状態（状態１）を所定時間継続した後に、受入室１０ｂが満杯となりフロースイッチ２２が透析液の流れのオフを検知した場合に各切替弁に切替のための信号を送る制御を無効化し、チャンバが切り替わらないようにした状態（状態２）にて、透析液をリリーフ弁２３のリリーフ回路内で全量循環させる。この状態から除水ポンプ２０を稼働させて所定体積ΔＶの透析液を透析液流通経路７から抜き取ると、透析液の排出体積ΔＶだけ系内のチューブ等が収縮することにより系内圧力がΔＰだけ低下した状態（状態３）となる。この場合に、体積収縮係数ＧはＧ＝ΔＶ／ΔＰの式によって求めることができる。
【００４７】
なお、除水ポンプ２０を稼働させて所定体積ΔＶの透析液を透析液流通経路７から抜き取るタイミングは、系内圧力が安定している状態であればよく、上述したような受入室１０ｂが満杯となりフロースイッチ２２が透析液の流れのオフを検知した後に限られず、受入室１０ｂが満杯となる前であってもよい。また、体積収縮係数Ｇを求める代わりに、除水ポンプ２０を逆回転させて所定体積ΔＶ’の透析液を系外から透析液流通経路７に供給し、透析液の供給体積ΔＶ’だけ系内のチューブ等を膨張させて系内圧力がΔＰ’だけ上昇した状態を作出し、Ｇ’＝ΔＶ’／ΔＰ’の式によって体積膨張係数Ｇ’を求めてもよい。この場合、後述する除水誤差変数の算出方法においては、体積収縮係数Ｇの代わりに体積膨張係数Ｇ’を用いることができる。なお、体積収縮係数Ｇや体積膨張係数Ｇ’を取得した後に除水ポンプ２０を逆回転させて、低下もしくは上昇した液圧を回復させてもよい。例えば圧力センサの出力値が１００ｍｍＨｇになるまで除水ポンプ２０を逆回転させることで、ΔＰだけ低下した系内圧力をΔＰだけ上昇させてもよい。
【００４８】
図５は、圧力特性取得工程における系内圧力の経時変化を示す概略説明図である。図４の状態３において無効化されていた切替信号の送信設定を再び有効化すると、フロースイッチ２２が透析液の流れのオフを検知し、各切替弁に切替のための信号が送られてチャンバが順次切り替わる状態（状態４）が再開する。
【００４９】
図６は、圧力特性の取得方法を示す概略説明図であり、左は系内圧力Ｐが時間経過につれて漸減する場合を示し、右は系内圧力が漸増する場合を示す。圧力特性取得工程において、チャンバが切り替わる度に系内圧力Ｐを記録し（上図）、任意のステップにおける系内圧力と次ステップにおける系内圧力との単位ステップあたりの差をΔｐ／Δｓとして、縦軸にΔｐ／Δｓを、横軸に系内圧力Ｐをプロットして圧力特性図を作成し、直線近似するなどして任意の系内圧力ＰとΔｐ／Δｓを対応させる（下図）。なお、透析液の送液方式が２つのチャンバを交互に使用するダブルチャンバ方式であれば、２つのチャンバの平均を採用してもよいが、１つのチャンバについて系内圧力はＰ１、Ｐ３、Ｐ５・・・のように１ステップおきに記録されるため、Δｐ／Δｓは例えば（Ｐ３−Ｐ１）／２のように単位ステップ当たりの差分として計算する。また、系内圧力Ｐが単位ステップ内で変動する場合には、例えばステップ開始後の１０秒後の圧力センサ出力値を読み取るか、１０〜１５秒の間の圧力センサ出力値を平均するなどして求める。なお、圧力特性取得工程は例えば１５分程度継続させることができるが、所定のステップ回数（チャンバ切替回数）まで継続させることにしてよい。例えば流通させる透析液流量が７００ｍＬ／ｍｉｎでチャンバ容量が２５０ｍＬだとすれば、１ステップ（切替）に約２２秒、１分間当たり３回程度ステップ（切替）が実施され、１０分程度動作させ続けると３０ステップ程度にわたる圧力特性図のプロットが取得できることとなる。
【００５０】
次に、収縮時圧力特性値を求めるために、任意の系内圧力Ｐに対応付けられたΔｐ／Δｓに、図４に示す方法で求められた体積収縮係数Ｇを掛け算して積を求める。このようにして求めた収縮時圧力特性値ＧΔｐ／Δｓは、透析工程の単位ステップにおいて供給室１０ａ、１０ｂに供給される未使用透析液の体積と受入室１１ａ、１１ｂから排出される使用済透析液の体積との差として定義される除水誤差変数にほぼ等しいことが実験により見出された。すなわち、透析工程において系内圧力Ｐがわかれば、その圧力における収縮時圧力特性値ＧΔｐ／Δｓを除水誤差変数とみなすことができ、透析工程の単位ステップにおいて当該除水誤差変数に相当する除水誤差が生じていると推定することができる。
【００５１】
なお、上述した体積収縮係数（または体積膨張係数）および圧力特性の取得順序は逆転させてもよく、先に圧力特性を取得してから体積収縮係数等を取得することも可能である。
【実施例】
【００５２】
図３〜６に示した手順に沿って、血液透析装置の除水誤差を推定した。使用する部品の動作方式や型式などは以下の通りである。
・チューブ：内径φ５、外径φ１１、シリコン製
・流通ポンプおよび給液ポンプ：ギアポンプ
・除水ポンプ：容積式ポンプ
・リリーフ弁：バネ式の圧力逃がし弁
・チャンバ：容積２５０ｍＬ、肉厚約４．５ｍｍ
【００５３】
図２のフロー図において、透析液給液系Ｂの上流より未使用透析液の代わりに、洗浄液（薬液や熱水）を供給し、装置内の洗浄工程を約１０分間実施した。洗浄完了後に洗浄液の供給を中止するため血液透析装置の運転を一旦停止し、透析液給液系Ｂの上流より未使用透析液を透析液流量７００ｍＬ／ｍｉｎで供給し、液置換工程を実施した。密閉系内に流入する未使用透析液を透析液給液系Ｂのヒーターによって加温し、液温が設定温度の３７℃まで上昇したことを温度センサにて確認した後に、フロースイッチ２２を一時無効化した。これによってチャンバの切替を抑止し、未使用透析液をリリーフ回路のみで循環させた。
【００５４】
この状態で除水ポンプ２０を回転させ、所定の体積ΔＶを密閉系から排出したところ、排出前後で液圧がΔＰだけ低下したことを圧力センサで確認した。Ｇ＝ΔＶ／ΔＰの式によって求めた体積収縮係数Ｇは０．０２２ｍＬ／ｍｍＨｇであった。
【００５５】
次に、無効化していたフロースイッチ２２を有効化し、透析液を通液させた後に、例えば透析流量７００ｍＬ／ｍｉｎにて液置換工程と同様の透析液流通動作を１５分程度実施し、図６の下図に示すような圧力特性図を取得した。これで体積収縮係数と圧力特性の取得が完了し、任意の系内圧力Ｐにおける収縮時圧力特性値ＧΔｐ／Δｓが把握できたので、血液透析工程の単位ステップ当たりに生じている除水誤差を推定するための準備が整った。
【００５６】
図２のフロー図におけるバイパスコネクタ２９を外してダイアライザー２を透析液流通経路７に接続し、まずプライミングを実施し、続いて患者への透析工程を実施する。このとき患者の体内から排出すべき水分量はあらかじめ患者毎に透析装置にて設定され、あらかじめ設定された除水量から透析時間に応じて除水速度が設定され、透析工程開始後の１時間はあらかじめ設定された除水速度で除水ポンプを運転する。
【００５７】
透析工程中の透析液圧を圧力センサで記録し、そのときの圧力における単位ステップ（切替）ごとの収縮時圧力特性値ＧΔｐ／Δｓを求める。このとき、単位ステップ中の患者の透析液圧２００ｍｍＨｇに対応するΔｐ／Δｓは−１０ｍｍＨｇであるとすると、これに体積収縮係数Ｇの値０．０２２ｍＬ／ｍｍＨｇを掛けて収縮時圧力特性値ＧΔｐ／Δｓを計算すれば−０．２２ｍＬという値が得られる。すなわち、単位ステップあたりの除水誤差変数（供給室１０ａ、１０ｂに供給される未使用透析液の体積と受入室１１ａ、１１ｂから排出される使用済透析液の体積との差）は−０．２２ｍＬと推定される。これは、単位ステップ中の患者の透析液圧が２００ｍｍＨｇであれば、単位ステップあたり０．２２ｍＬの過除水が生じるということである。
【００５８】
このようにして推定された単位ステップ当たりの除水誤差変数を、透析開始後の１時間にわたって積算することによって、１時間当たりの除水誤差を推定することができる。すると、透析開始１時間に患者から排出された水分量は、１時間中の除水ポンプの回転数＋積算された除水誤差になるので、例えば次の１時間の除水速度をこの積算された除水誤差を加味した上で除水ポンプの回転数を再設定することができる。例えば除水誤差が過除水になっているのであれば、次の１時間でその過除水分を打ち消すように、除水ポンプの回転数をあらかじめ設定していた回転数よりも小さい値に設定し直すことで、除水誤差を補正することができる。このように１時間ごとに除水速度の再設定を繰り返すことで、除水誤差を低減することができる。
【００５９】
以上、添付図面を参照しながら本発明の好適な実施形態について説明したが、本発明はかかる例に限定されない。当業者であれば、特許請求の範囲に記載された思想の範疇内において、各種変更例または修正例に想到し得ることは明らかであり、それらについても当然に本発明の技術的範囲に属するものと了解される。
【産業上の利用可能性】
【００６０】
本発明に係る血液透析装置は、あらゆる血液透析装置に適用でき、それによって除水精度の大幅な向上を達成できる。
【符号の説明】
【００６１】
１  血液透析装置
２  ダイアライザー（血液透析要素）
３  血液流路
４  透析液流路
５  透析膜
６  血液回路
７  透析液流通経路
７ａ  透析液往路
７ｂ  透析液復路
８  流通ポンプ
９ａ、９ｂ  チャンバ（透析液供給・受入要素）
１０ａ、１０ｂ  供給室
１１ａ、１１ｂ  受入室
１２ａ、１２ｂ  隔壁
１３ａ〜１５ａ、１７ａ、１３ｂ〜１５ｂ、１７ｂ  切替弁
１６  透析液給液経路
１８  使用済透析液排出経路
１９  透析液抜出経路
２０  除水ポンプ
２１  流量調整弁
２２  フロースイッチ
２３、２５  リリーフ弁
２４  給液ポンプ
２６、２７  リリーフ回路
２８  継手
２９  バイパスコネクタ
【図１】
2019013486.tif 000003
【図２】
2019013486.tif 000004
【図３】
2019013486.tif 000005
【図４】
2019013486.tif 000006
【図５】
2019013486.tif 000007
【図６】
2019013486.tif 000008